(57)【特許請求の範囲】
【請求項１】
矩形断面の筒状体によって構成されるファン収納ボックスと、このファン収納ボックスに挿入して取り付けられる矩形断面の筒状体によって構成されるアウターケーシングを有するファンユニットとからなる挿抜型ファンユニットの取付構造であって、
前記アウターケーシングの外周の四面の各々に略矩形状の透孔が形成され、各透孔の各々には、その透孔の一辺と一体的に接続して前記一辺に対向する前記透孔の他の一辺に向かいつつ前記アウターケーシングから徐々に外側に離間する方向に延出する弾性体からなる舌片部の外面側の先端部に、該舌片部と一体の突起が形成されていることを特徴とした挿抜型ファンユニットの取付構造。
【請求項２】
前記ファン収納ボックスの内径が前記アウターケーシングの外径を基準として、前記突起の高さの２倍に相当する分だけ長く形成されていることを特徴とする請求項１記載の挿抜型ファンユニットの取付構造。
【発明の詳細な説明】
【技術分野】
【０００１】
本発明は、挿抜型ファンユニットの取付構造の改良に関する。
【背景技術】
【０００２】
筒状のファン収納ボックスと、ファン収納ボックスに挿入して取り付けられるアウターケーシングを有するファンユニットとからなる挿抜型ファンユニットの取付構造が既に公知である。
【０００３】
挿抜型ファンユニットの取付構造の一般的な構成について図３を参照して説明する。
【０００４】
図３では矩形断面の筒状体からなるファン収納ボックス１に同じく矩形断面の筒状体からなるアウターケーシング３を有する挿抜型ファンユニット２を挿入して取り付ける場合について示している。
【０００５】
挿抜型ファンユニット３の最大外形部を構成するアウターケーシング３の外径幅をＷ＋０、また、アウターケーシング３の外径高さをＨ＋０とすると、一般に、ファン収納ボックス１の内径幅はＷ−０、また、ファン収納ボックス１の内径高さはＨ−０として表すことができる。
【０００６】
つまり、幅の呼び径をＷとして高さの呼び径をＨとした場合、アウターケーシング３の外径幅の最大値がＷでアウターケーシング３の外径高さの最大値がＨであって、各々にマイナス方向での加工誤差や組み立て誤差が多少許容され、また、ファン収納ボックス１の内径幅の最小値がＷでファン収納ボックス１の内径高さの最小値がＨであって、各々にプラス方向での加工誤差や組み立て誤差が多少許容されるということであり、本質的には、その呼び径は等しい。
【０００７】
この結果、個体差を一定の範囲で許容されて量産されたファン収納ボックス１と挿抜型ファンユニット２の組み合わせにおいてファン収納ボックス１の内周面とアウターケーシング３の外周面の嵌合がタイトであると、ファン収納ボックス１に対する挿抜型ファンユニット２の挿抜作業に支障が生じる場合があり、また、両者が強く擦れあうためにファン収納ボックス１の内周面やアウターケーシング３の外周面に傷が付く等の問題があった。
また、量産されたファン収納ボックス１と挿抜型ファンユニット２の組み合わせにおいてファン収納ボックス１の内周面とアウターケーシング３の外周面の嵌合が余りにルーズであると、ファン収納ボックス１内で挿抜型ファンユニット２がガタついたり、あるいは、ファン収納ボックス１と挿抜型ファンユニット２との間の接触が不十分となり、特に、板金からなるファン収納ボックス１とアウターケーシング３を利用してフレームグランド（ＦＧ）での接地を行なうような場合において、適切な接地が得られなくなる等の不都合が生じる場合もある。
【０００８】
図３に示される例では、アウターケーシング３の４面に長孔４を穿設し、アウターケーシング３の内側から外側に向けて突出する板バネ５の基部をアウターケーシング３の内側に固着し、板バネ５をファン収納ボックス１の内周面に弾性的に当接させることで挿抜型ファンユニット２のガタつきを防止すると共にファン収納ボックス１とアウターケーシング３との間の電気的な接触を保証するようにしているが、ファン収納ボックス１に挿抜型ファンユニット２を挿入する際にファン収納ボックス１の開口部に板バネ５が強く干渉するために板バネ５が変形する可能性があり、また、スポット溶接やロウ付け等でアウターケーシング３に板バネ５を取り付けたような場合では、板バネ５がアウターケーシング３から剥がれて脱落してしまうといった不都合が生じる場合もある。
更に、アウターケーシング３から板バネ５を突出させるための長孔４を穿設してから板バネ５を固着するといった組み立て工程が必要となるため、加工コストや組み立てコストが割高となる欠点がある。
【０００９】
また、これとは別に、ファン収納ボックスに代えて樹脂製のファンホルダーを利用してファンユニットを取り付けるようにした冷却ファンユニット取付構造が特許文献１として提案されているが、このものは、ファンユニットをネジ止めしたファンホルダーを更に筐体のパネルの内側にネジ止めして固定する構造のものであり、ファンホルダーの形状およびファンユニットの取り付け構造が著しく複雑である。
【００１０】
なお、金属部材間の電気的な接触を確保するための技術としては、突起付きの板バネをインナーロッドの外周面に固着してアウターロッドの内周面に摺接させるようにした摺動接点構造が特許文献２に開示されているが、このものは専ら電気的な接触を保証するためだけに利用される技術である。しかも、特許文献２に開示された摺動接点構造においては、板バネがインナーロッドやアウターロッドと独立した部材によって構成されているので、加工コストや組み立てコストが割高となる不都合があり、また、板バネはインナーロッドに対して完全に外付けされたかたちとなっており、インナーロッドとアウターロッドとの間に板バネおよび突起の厚みを超える間隙を形成しないと板バネの取り付け自体が不能であるため、電気的な接触は確保できてもアウターロッドに対するインナーロッドのガタつきは、構造上、解消することができない。
【００１１】
【特許文献１】特開２００７−７３６１２号公報
【特許文献２】特開平８−２９３７１５号公報
【発明の開示】
【発明が解決しようとする課題】
【００１２】
そこで、本発明の課題は、ファン収納ボックスの内周面やファンユニットのアウターケーシングの外周面に傷が付きにくく、ファン収納ボックス内のファンユニットに不用意なガタつきがなく、加工コストや組み立てコストも軽減することが可能な挿抜型ファンユニットの取付構造を提供することにある。
【課題を解決するための手段】
【００１３】
本発明による挿抜型ファンユニットの取付構造は、矩形断面の筒状体によって構成されるファン収納ボックスと、このファン収納ボックスに挿入して取り付けられる矩形断面の筒状体によって構成されるアウターケーシングを有するファンユニットとからなる挿抜型ファンユニットの取付構造であり、前記課題を達成するため、特に、
アウターケーシングの外周の四面の各々に略矩形状の透孔が形成され、各透孔の各々には、その透孔の一辺と一体的に接続して前記一辺に対向する前記透孔の他の一辺に向かいつつ前記アウターケーシングから徐々に外側に離間する方向に延出する弾性体からなる舌片部の外面側の先端部に、該舌片部と一体の突起が形成されていることを特徴とした構成を有する。
【発明の効果】
【００１４】
本発明における挿抜型ファンユニットの取付構造は、ファンユニットをファン収納ボックスに挿抜する際にファンユニットのアウターケーシングの外周部に形成された略矩形状の透孔の一辺に接続して徐々に外側に離間する方向に延出する弾性体からなる舌片部が弾性変形し、舌片部の外面側の先端部に形成された小面積の突起の部分だけがファン収納ボックスの内周面に摺接するので、挿抜時の摩擦抵抗が軽減されてファン収納ボックスの内周面やアウターケーシングの外周面の傷付きが防止される。
【００１５】
また、ファン収納ボックスに対するアウターケーシングの位置や姿勢は、アウターケーシングの内周面に一定の弾性力で圧接された突起と舌片部によって保証されるので、ファン収納ボックス内のファンユニットが不用意にガタつくといった弊害を改善することができ、しかも、ガタつきを防止するための舌片部と其の突起はファンユニットのアウターケーシングに一体的に形成されているので、加工コストや組み立てコストの軽減が可能である。
【００１６】
更に、舌片部の突起が弾性復帰力によって一定の力でファン収納ボックスの内周面に圧着されるので、特に、板金からなるファン収納ボックスとアウターケーシングを利用した場合において、フレームグランド（ＦＧ）での適切な接地が行なえるようになる。
【００１７】
また、舌片部はアウターケーシングの外周部に形成された略矩形状の透孔の一辺と一体的に接続して此の一辺に対向する透孔の他の一辺に向かいつつアウターケーシングから徐々に外側に離間する方向に延出する構成であって、舌片部の突起がファン収納ボックスの内周面に圧着されて舌片部が弾性変形する際には当該舌片部を略矩形状の透孔に退避させることができるので、ファン収納ボックスの内周面とアウターケーシングの外周面との間に過剰な間隙を形成しなくても弾性体として機能する舌片部を配備することが可能であり、例えば、ファンユニットの挿抜方向の一端部にのみ舌片部を配備した場合であってもファンユニットの他端部とファン収納ボックスの内周面との間に不用意な間隙が生じてファンユニットが振動する等の不都合を未然に防止することができ、同時に、ファン収納ボックスの開口部に舌片部が強く干渉して変形する等の弊害も防止することができる。
【発明を実施するための最良の形態】
【００１８】
次に、本発明を実施するための最良の形態について具体例を挙げて説明する。
【００１９】
図１は本発明を適用した一実施形態のファン収納ボックス６とファンユニット７の取付構造について簡略化して示した斜視図、また、図２は同実施形態のファンユニット７のアウターケーシング８に設けられた舌片部９と突起１０の構造について示した斜視図である。
【００２０】
この実施形態のファン収納ボックス６およびアウターケーシング８は共に板金によって形成され、図１に示される通り、その各々は全体として矩形断面を有する筒状体の体裁を有する。アウターケーシング８の内部にはファンユニット７の主要部を構成する送風用のファン１１やファン駆動モータ１２等が配備され、また、アウターケーシング８の手前側の開口部には多数の通風孔１３を備えたパネル１４が取り付けられているが、これらのものに関しては既に公知であり、また、本発明の要旨と直接的に関連するものでもないので詳細な説明は省略する。
【００２１】
アウターケーシング８の外周部を構成する上面８ａおよび下面８ｃにおける幅方向の両側部とアウターケーシング８の外周部を構成する側面８ｂ，８ｄの中央部、つまり、アウターケーシング８の四面の各々には、アウターケーシング８と同様の素材すなわち弾性体である金属素材からなる舌片部９と其の一部である突起１０がアウターケーシング８と一体に形成されている。
【００２２】
具体的には、これらの舌片部９は、図２に示されるように、アウターケーシング８の外周部たとえば上面８ａに略Ｕ字型のスリット１５を形成し、このスリット１５によって三方を囲まれる舌片部９の基部９ａを塑性変形させ、該舌片部９を外側に向けて屈曲させると共に、舌片部９の外面側の先端部に、該舌片部９と一体の半球状の突起１０を塑性加工によって形成したものである。
【００２３】
この際、スリット１５の成形に際してはプレス金型を利用したプレス剪断加工が利用でき、また、基部９ａの塑性変形にはプレス金型を利用した型曲げ加工が利用でき、更に、突起１０の形成にはプレス金型を利用したエンボス加工が利用され得る。
【００２４】
また、表現を変えれば、図２に示されるような略Ｕ字型のスリット１５で周囲を囲まれる略矩形状の透孔の一辺つまり図２中で透孔の左上に位置する一辺１６と基部９ａの部分で一体的に接続し、この一辺１６に対向する前記透孔の他の一辺すなわち図２中で右下に位置する他の一辺１７に向かいつつアウターケーシング８の上面８ａから徐々に外側に離間する方向に延出した弾性体からなる舌片部９の外面側の先端部に舌片部９と一体の突起１０が形成されているといってもよい。
【００２５】
ファン収納ボックス６とアウターケーシング８の幅の呼び径をＷとして高さの呼び径をＨとした場合、この実施形態では、アウターケーシング８の外径幅は従来と同等のＷ＋０（最大値がＷ）、また、アウターケーシング８の外径高さも従来と同等のＨ＋０（最大値がＨ）とする一方、ファン収納ボックス６の内径幅とファン収納ボックス６の内径高さに関しては、アウターケーシング８の対向する２組の平行面つまりアウターケーシング８の上面８ａと下面８ｃおよびアウターケーシング８の側面８ｂと側面８ｄの各々から共に外側に向けて突出する突起１０、すなわち、アウターケーシング８を挟むようにして上下あるいは左右の方向に直列的に並ぶ２組の突起１０の各々の高さＨを考慮して、ファン収納ボックス６の内径幅がＷ−０＋２Ｌ（最小値がＷ）、また、ファン収納ボックス６の内径高さがＨ−０＋２Ｌ（最小値がＨ）となるようにし、全体として、高さおよび幅の各々の方向において突起１０の高さＬの２倍に相当する分だけ、基準となる長さＷ−０やＨ−０よりも長くしている。
【００２６】
そして、全ての舌片部９は、図１あるいは図２に示されるように、挿抜型ファンユニット７の挿入方向において挿入方向前方側に位置する透孔の一辺、つまり、図２中で透孔の左上に位置する一辺１６に接続して設けられており、図１に示されるようにしてファン収納ボックス６に挿抜型ファンユニット７を挿入する際には、先ず、アウターケーシング８の外周部から僅かに外側に向けて屈曲した状態に塑性変形された舌片部９の基部９ａの部分がファン収納ボックス６の開口部に当接し、その後、ファン収納ボックス６の内周面によって外側から内側に向けて押圧される舌片部９が徐々に弾性変形し、舌片部９の基部９ａから其の先端側に向けて舌片部９の外面側がファン収納ボックス６の内周面に順に当接し、最終的に、舌片部９の先端に位置する半球状の突起１０がファン収納ボックス６の内周面に圧接する。
【００２７】
挿抜型ファンユニット７の挿入が進むに連れ、ファン収納ボックス６の内周面との摺接で外側から内側に向けて押圧される舌片部９が弾性変形して徐々に内側に撓むが、舌片部９は略Ｕ字型のスリット１５で周囲を囲まれた略矩形状の透孔の内部に退避することができ、ファン収納ボックス６の内周面とアウターケーシング８の外周面との間に過剰な間隙を形成しなくても弾性体として機能する舌片部９を配備することができるので、前述した通り、アウターケーシング８の外周面とファン収納ボックス６の内周面との間には、突起１０の高さＬに相当する間隙が形成されれば十分である（実際にはアウターケーシング８の外周面とファン収納ボックス６の内周面とが干渉しなければＬ以下の間隙であっても差し支えない）。
図１の実施形態では、ファンユニット７の挿抜方向を基準とするアウターケーシング８の外周面上の一端部、つまり、図１中で手前側に位置する外周面上の一端部にだけ図示しない部分を含めて都合６個の舌片部９を高さ方向および幅方向の各々において対称となるかたちで配備し、他方の端部つまり先にファン収納ボックス６に挿入される側のアウターケーシング８の外周面上の端部には舌片部９を全く配備していないが、前述した通り、アウターケーシング８の外周面とファン収納ボックス６の内周面との間の間隙は僅かなものであるから、公知の摺動接点構造のようなものを転用してアウターケーシング８の外周面に重合させるかたちで板バネや突起を外付けで取り付けたもの、即ち、アウターケーシング８の外周面とファン収納ボックス６の内周面との間に板バネおよび突起の厚さに匹敵する以上の間隙を形成しなければならないものとは違い、ファン１１やファン駆動モータ１２の作動によってファンユニット７の他端部に不用意な振動やガタつき生じるといった心配はない。
【００２８】
既に述べた通り、この実施形態ではファン収納ボックス６とファンユニット７のアウターケーシング８を共に板金から形成しているので、ファン収納ボックス６の内周面に圧接された突起１０と舌片部９を介してファン収納ボックス６とアウターケーシング８とを電気的に確実に導通させることができ、特に、これらのファン収納ボックス６やファンユニット７をパーソナルコンピュータやディスクアレイシステム等の装置の金属フレームに実装する場合においては、ファン収納ボックス６やアウターケーシング８を利用してフレームグランド（ＦＧ）による接地が適切に行なえるようになるメリットがある。
【００２９】
また、ファンユニット７をファン収納ボックス６に挿抜する際には、ファンユニット７のアウターケーシング８の外周部に一体に形成された弾性体である舌片部９が弾性変形し、舌片部９の外面側の先端部に形成された半球状の突起１０の先端部だけがファン収納ボックス６の内周面に摺接するので、ファンユニット７をファン収納ボックス６に挿抜するときの摩擦抵抗が軽減される。また、ファン収納ボックス６の内周面とアウターケーシング８の外周面との間には突起１０の高さに相当するＬの間隙が形成されるので、ファン収納ボックス６の内周面やアウターケーシング８の外周面に傷が付く心配がなくファンユニット７の挿入が容易であり、しかも、ファン収納ボックス６に対するアウターケーシング８の位置や姿勢はアウターケーシング８の内周面に一定の弾性力で圧接された突起１０および舌片部９によって保証されるので、ファン収納ボックス６内でのファンユニット７の不用意な振動やガタつきも効果的に抑制することができる。
【００３０】
特に、振動やガタつきを防止するための舌片部９と突起１０が、ファンユニット７のアウターケーシング８に一体的に形成されており、舌片部９や突起１０はプレス金型を利用した剪断加工，型曲げ加工，エンボス加工等で簡単に成形することができるので、ファンユニット７やファン収納ボックス６の加工コストや組み立てコストの軽減が可能である。
【００３１】
しかも、舌片部９はアウターケーシング８の外周部に形成された略矩形状の透孔の一辺１６と一体的に接続して此の一辺に対向する他の一辺１７に向かいつつアウターケーシング８から徐々に外側に離間する方向に延出する構成であるから、舌片部９の傾斜は緩慢であり、しかも、ファンユニット７をファン収納ボックス６に挿入する際には、アウターケーシング８の外周部と同一面上に位置する舌片部９の基部９ａの部分がファン収納ボックス６に突入してから、これに倣うようにして舌片部９の基部９ａから其の先端側に向けて舌片部９の外面側がファン収納ボックス６の内周面に順に当接していき、その過程でファン収納ボックス６の内周面によって外側から内側に向けて押圧される舌片部９が徐々に弾性変形して略矩形状の透孔に退避するので、ファン収納ボックス６の開口部や内周面に舌片部９が強く干渉して変形する等の弊害も確実に防止することができる。
【００３２】
以上、一実施形態として、板金によって形成されたアウターケーシング８を備えたファンユニット７と板金によって形成されたファン収納ボックス６の取付構造について説明したが、フレームグランドによる接地を必要としない装置にあっては、アウターケーシング８やファン収納ボックス６は必ずしも金属製である必要はなく、各種の合成樹脂素材等を利用して形成しても構わない。
【００３３】
また、ファン収納ボックス６やアウターケーシング８の形状としては、矩形断面を有する筒状体のほか、円筒体等を利用することも可能である。
【図面の簡単な説明】
【００３４】
【図１】本発明を適用した一実施形態のファン収納ボックスとファンユニットの取付構造について簡略化して示した斜視図である。
【図２】同実施形態のファンユニットのアウターケーシングに設けられた舌片部と突起の構造について示した斜視図である。
【図３】挿抜型ファンユニットの取付構造の一般的な構成について簡略化して示した斜視図である。
【符号の説明】
【００３５】
１  ファン収納ボックス
２  挿抜型ファンユニット
３  アウターケーシング
４  長孔
５  板バネ
６  ファン収納ボックス
７  ファンユニット
８  アウターケーシング
８ａ  アウターケーシングの上面
８ｂ  アウターケーシングの側面
８ｃ  アウターケーシングの下面
８ｄ  アウターケーシングの側面
９  舌片部
９ａ  舌片部の基部
１０  突起
１１  ファン
１２  ファン駆動モータ
１３  通風孔
１４  パネル
１５  略Ｕ字型のスリット
１６  透孔の一辺
１７  透孔の他の一辺
【図１】
0004992110.tif 000002
【図２】
0004992110.tif 000003
【図３】
0004992110.tif 000004